(57)【要約】   シェービング用かみそり替刃カートリッジは、一連の平行な替刃と、替刃に接続された電気回路の少なくとも２つの隔置されたワイヤーコンダクタとを備え、効率的な熱分布を、替刃の長さ全体に提供するように、替刃を通る電流の流れを提供する。替刃の端部は、電流から絶縁された止め金によって所定の位置に保持されてもよい。個々の替刃の全長にわたる導電性を保証するため、導電性の薄膜が、替刃の端部に接触するように取り付けられてもよい。替刃が皮膚表面に当てられて、空気が替刃の間を循環できない時、加熱された替刃の放熱効果によって替刃は温まる。替刃が皮膚から離されて、空気が替刃の間を循環する時、替刃の温度は低くなる。【選択図】図１
2014513629.tif 000002
【特許請求の範囲】
【請求項１】
カッティングエッジと裏側の非カッティングエッジとを有する少なくとも１つの導電性のかみそり替刃と、
前記少なくとも１つの導電性のかみそり替刃をその中に収容しうるようになっており、前記替刃カートリッジがユーザの皮膚表面に沿って動かされた時に、毛を刈るために、前記カッティングエッジが動作可能なかたちで位置する替刃カートリッジと、
前記少なくとも１つの導電性の替刃の裏側の非カッティングエッジに接触する少なくとも１つの導電性のワイヤーとを備え、
前記少なくとも１つの導電性のワイヤーは、電流を閉回路において、電源から裏側の非カッティングエッジまで送るように構成されて配置され、電流が前記少なくとも１つの導電性のかみそり替刃を通って流れることを可能にし、かつ、前記少なくとも１つの導電性の替刃を、その全長にわたって加熱させるようになっていることを特徴とするかみそり替刃加熱装置。
【請求項２】
前記少なくとも１つの導電性のかみそり替刃を前記替刃カートリッジ内の固定的な位置に保持するための、前記替刃カートリッジの反対側端部に位置する１対の止め金をさらに備える、請求項１に記載のかみそり替刃加熱装置。
【請求項３】
前記１対の止め金と前記少なくとも１つの導電性の替刃との間の絶縁材であって、前記１対の止め金を、熱および前記少なくとも１つのかみそり替刃を通る電流から絶縁するように構成され、かつ配置されている絶縁材と、
前記絶縁材、および前記少なくとも１つの導電性のかみそり替刃と接触する導電性の薄膜であって、電流を、前記少なくとも１つの導電性の替刃まで運ぶように構成され、かつ配置されている導電性の薄膜とをさらに備える、請求項２に記載のかみそり替刃加熱装置。
【請求項４】
前記少なくとも１つの導電性のかみそり替刃は、第１の金属からなり、前記少なくとも１つの導電性のワイヤーは、第２の金属からなり、かつ前記導電性の薄膜は、第３の金属からなっていることを特徴とする、請求項３に記載のかみそり替刃加熱装置。
【請求項５】
各々がカッティングエッジと裏側の非カッティングエッジとを有する複数の導電性のかみそり替刃と、
前記複数の導電性のかみそり替刃をその中に収容するように構成されており、前記替刃カートリッジがユーザの皮膚表面に沿って動かされた時に、毛を刈るために前記複数の導電性の替刃のカッティングエッジが動作可能なように平行に隔置される替刃カートリッジと、
前記少なくとも１つの導電性のかみそり替刃の裏側の非カッティングエッジに接触する少なくとも１つの導電性のワイヤーとを備え、
前記少なくとも１つの導電性のワイヤーは、電流を閉回路において電源から前記複数の導電性の替刃のうちの少なくとも１つの裏側の非カッティングエッジまで送るように構成され、電流が前記複数の前記導電性の替刃のうちの少なくとも１つを通って流れることを可能にし、かつ、前記複数の前記導電性の替刃のうちの少なくとも１つを、その全長にわたって加熱させるようになっていることを特徴とするかみそり替刃加熱装置。
【請求項６】
前記複数の導電性のかみそり替刃の裏側の非カッティングエッジに接触し、閉回路において電流が前記複数の導電性のかみそり替刃の各々を通って流れることを可能にし、かつ、前記複数の導電性のかみそり替刃の各々を、それらの全長にわたって加熱させるための、前記少なくとも１つの導電性ワイヤーをさらに備える、請求項５に記載のかみそり替刃加熱装置。
【請求項７】
前記複数の導電性のかみそり替刃の少なくとも２つに接触して、前記少なくとも２つの導電性のかみそり替刃に電流を送るようになっている導電性のエレメントをさらに備える、請求項５に記載のかみそり替刃加熱装置。
【請求項８】
前記複数の導電性のかみそり替刃を、前記替刃カートリッジ内の互に相対的な固定的な位置に保持するための、前記替刃カートリッジの対向する端部に位置する１対の止め金をさらに備える、請求項６に記載のかみそり替刃加熱装置。
【請求項９】
前記１対の止め金と、前記複数の導電性のかみそり替刃との間に位置する絶縁材であって、前記１対の止め金を熱と前記複数の導電性の替刃を通る電流の流れとから絶縁するように構成され配置されている絶縁材と、
前記絶縁材および前記複数の導電性のかみそり替刃に接触する導電性のエレメントであって、前記電流を前記複数の導電性の替刃に送るように構成され、かつ配置されている導電性のエレメントとをさらに備える、請求項８に記載のかみそり替刃加熱装置。
【請求項１０】
各々がカッティングエッジと裏側の非カッティングエッジとを有する複数の導電性のかみそり替刃と、
前記複数の導電性のかみそり替刃をその中に収容するように構造化され構成された替刃カートリッジであって、前記替刃カートリッジがユーザの皮膚表面に沿って動かされた時に毛を刈るために前記複数の導電性のかみそり替刃のカッティングエッジが動作可能なかたちで平行に隔置される替刃カートリッジと、
各々が前記複数の導電性の替刃の裏側の非カッティングエッジに接触するように配置された１対の導電性のワイヤーであって、相互に隔置された関係で配置され、かつ、電流を閉回路において電源から裏側の非カッティングエッジまで送るように構成され配置され、電流が前記複数の前記導電性の替刃を通って流れることを可能にし、かつ、前記複数の導電性の替刃を、その全長にわたって加熱させるようになっている１対の導電性のワイヤーとを備えるかみそり替刃加熱装置。
【発明の詳細な説明】
【技術分野】
【０００１】
本発明は、ひげそり用かみそり替刃に関し、より詳しくは、カートリッジに収容されている複数のかみそり替刃を、電気的に加熱するようになっている装置に関する。
【背景技術】
【０００２】
毛は、かみそり刃の鋭いカッティングエッジによって刈られる直前に暖められると、柔らかくなり、剃りやすくなることは、よく知られている。また、かみそり刃のカッティングエッジは、刃が暖かいか、または熱い時には、毛を剃る効果が高まることもよく知られている。多くの人は、ひげそりの直前に、温水または熱いタオルで、毛や皮膚を温める。また、毛を剃るために、皮膚をかみそり刃でこする直前に、かみそり刃を加熱するために、ひげそりに熱い湯をかけることも、よく行われている。しかし、加熱したかみそり刃による効能は、ひげそり作業の最初のほんの短い時間しか続かない。数秒以内に、周囲温度にさらされるために、皮膚の表面や毛、またかみそり刃の温度は、急速に下がってしまう。従って、ひげそり等の間中、かみそり刃を暖かく、または熱く保つことができれば、きわめて好ましいことである。
【０００３】
ボーマによる特許文献１には、ひげそりの間中、替刃のカートリッジを連続的に加熱するシェービングシステムを提案している。替刃の加熱は、所定の量の電流を、替刃カートリッジの各側に接続し、かつ、替刃カートリッジをかみそりのハンドルに接続する接点の形状をなすコンダクタによって、電流を替刃カートリッジに送ることにより行われる。
【先行技術文献】
【特許文献】
【０００４】
【特許文献１】米国特許第６，８１７，１０１  Ｂ１号
【発明の概要】
【発明が解決しようとする課題】
【０００５】
本発明は、替刃カートリッジ内の複数のかみそり替刃の全体に亘って、熱を効率的に伝導させることによって、従来の替刃加熱装置を改善するものである。本発明では、替刃の裏側のエッジに接続される２つのワイヤーコンダクタを用いる。ワイヤーコンダクタの間隔により、均一な熱分布が得られる。本発明によるかみそり刃を加熱する改良された手段によって、バッテリ電源の利用が高まり、またひげそりの際にユーザが必要とするシェービングクリームの量が減少する。
【課題を解決するための手段】
【０００６】
ひげそり用のかみそりの替刃カートリッジは、一連の平行な替刃と、替刃の長さ全体にもっと効率よく熱を分布させるように替刃を通る電流の流れを提供するために所定の間隔で替刃に接続された、電気回路の少なくとも２つのワイヤーコンダクタとを備えている。２つのワイヤーコンダクタは、替刃の全長に沿って最適な熱分布を達成するために、替刃の中央にもっと近い位置で、または、替刃の端部に向かってさらに離れた位置で、替刃に接続されている。替刃の端部は、電流から絶縁された止め金または金属バンドで所定の位置に保持されているのがよい。個々の替刃の全長にわたる導電性を保証するため、導電性の薄膜が、替刃の対向する端部に取り付けられるのがよい。替刃をユーザの皮膚に当て、替刃の間の空気の流れが遮断されると、加熱された替刃の放熱効果によって替刃は温められる。替刃を皮膚の表面から離すと、空気は替刃の間を循環することができ、それによって、替刃は加熱されたままであるのに、替刃の温度が下がる。従って、放熱効果は、直感的な熱の制御を可能にし、ユーザは、替刃が皮膚から頻繁に離されたり、皮膚表面をより速く動かされる場合は熱を少なく感じ、替刃が皮膚表面を遅く動かされたり、長い間皮膚と接触する場合は熱を多く感じる。本発明の替刃加熱装置は、改造設置として既存の替刃カートリッジに容易に適合される。また、本発明の替刃加熱装置は、新規に製造される替刃カートリッジに組み込んでもよい。
【０００７】
上記を考慮して、本発明の主たる目的は、替刃カートリッジ内に収容されているかみそり替刃の全長に亘って、均一に加熱し、１枚以上のかみそり刃全体に均一に熱エネルギーを分布させるようになっているかみそり用の替刃加熱装置を提供することである。
【０００８】
本発明の別の目的は、替刃の温度を直感的な制御しうるようになっているかみそりの替刃加熱装置を提供することである。
【０００９】
本発明の別の目的は、従来の替刃カートリッジのデザインに容易に適合しうる、かみそり刃のための効果的な替刃加熱装置を提供することである。
【００１０】
本発明のこれらの目的や利点、およびその他の目的や利点は、下記の詳細な説明、および添付の図面を参照することにより、一層明らかになると思う。
【００１１】
本発明の本質を一層完全に理解するために、添付の図面、並びに下記の詳細な説明を参照されたい。
【図面の簡単な説明】
【００１２】
【図１】本発明の替刃加熱装置の好適実施形態における替刃カートリッジの底面図であり、替刃カートリッジは、一連のかみそり替刃と、替刃を替刃カートリッジ内の所定の位置に保持する１対の止め金と、かみそり替刃の裏側のエッジに接触する、隔置された金属製の２つのコンダクタとを備えている。
【図２】本発明の替刃加熱装置を示す図１の線２−２の面における断面図であり、替刃加熱装置は、一連のかみそり替刃と、止め金と、絶縁材と、止め金と替刃との間に配置された薄い導体膜と、かみそり替刃の裏側のエッジに接触している金属製のワイヤーコンダクタと、替刃分離体と、替刃カートリッジハウジングとを備えている。
【図３】かみそり替刃の裏側のエッジに接触している、隔置された金属製の２つのワイヤーコンダクタを示す斜視図である。
【図４】本発明の別の実施形態による、複数のかみそり替刃の裏側のエッジの平面図であり、ループ状に配置され、隔置されているかみそり替刃の裏側のエッジに接触している、１本のワイヤーコンダクタを示す図である。
【発明を実施するための形態】
【００１３】
各図を通して、同じ要素には同じ符号を付してある。
【００１４】
複数の図において、本発明のかみそり替刃加熱装置には、符号１０を付してある。
【００１５】
図１において、替刃加熱装置１０は、替刃カートリッジ１４の中に平行に取り付けられた一連のかみそり替刃１２を備えている。一実施形態では、替刃カートリッジ１４の相対する側に位置する１対の止め金１６が、かみそり替刃１２を所定の位置に保持している。
【００１６】
隔置された２本以上のワイヤーコンダクタ１８が、１つ以上のかみそり替刃１２の裏側のエッジに接触して位置しており、直列回路を形成している。ワイヤーに電流が供給されると、替刃は加熱される。熱は、ワイヤーが接触している各かみそり替刃１２の長さ方向に移動し、替刃全体が加熱される。かみそり替刃１２の前面のカッティングエッジには、ひげそり時の安全を保つために、保護コーティングが施されているが、替刃１２の裏側のエッジは、替刃１２の導電性を保つため、コーティングされていない。図２に示すように、絶縁材２０が、替刃の表面と、各止め金１６との間に設けられており、止め金１６の加熱または過熱を防止している。導電性の薄膜２２を、絶縁材２０と替刃１２との間に設けて、膜２２が替刃１２に接触するようにしてもよい。これによって、カートリッジ内のすべての替刃の全長にわたって、導電率が向上されることとなる。替刃分離体２４が、替刃カートリッジ１４内でかみそり替刃１２を分離した状態で保持し、替刃１２を、シェービング用の最適な角度に保持している。２本のワイヤーの接触点は、替刃の中央にもっと近くてもよいし、替刃の端部に向かってさらに離れていてもよい。２つのワイヤーのこれらの接触点の理想的な間隔は、替刃の全長にわたって、熱を最良に分布させるような寸法としてある。
【００１７】
好適な実施形態では、隔置された金属製ワイヤー１８は、スチールまたはその他の導電性材料からなり、導電性の薄膜２２は、アルミニウム、その他の導電性材料からなり、またかみそり替刃１２は、ステンレススチールからなっている。異なる金属を互いに接触させると、電流を供給した時に、より高い熱レベルと均一な熱分布とを促すのに役立つ可能性がある。また、異なる金属の接触点は、放熱効果を促しうる熱を作り出す。図３においては、電流が、隔置された金属製ワイヤー１８に供給され、隔置された金属製ワイヤー１８と導電性の薄膜２２とかみそり替刃１２との接触点によって作られる直列回路全体に広がる。複数の接触点によって、かみそり替刃１２全体のより均一な加熱を維持するのに必要なバッテリ電源の効率が高まる。また、かみそり替刃１２全体の効率的な加熱の結果として、シェービングプロセスの間に必要なシェービングクリームの量が減少する。この替刃加熱装置は、現在市販されている既存の替刃カートリッジのデザインに容易に適合することができる。また、かみそりに、サーモスタットスイッチを設けて、替刃に対する電流の流れを、従って、替刃の温度を、制御することもできる。
【００１８】
図４は、本発明の別の実施形態を示し、単一のコンダクタ１８が、閉回路ループ内の電源の正極端子と負極端子とに接続されていて、単一のコンダクタ１８は、個々の替刃の上の隔置された位置で、かみそり替刃１２の裏側のエッジに導電接触するように配置されており、個々の替刃を加熱するか、あるいは、替刃を選択するのに十分な、個々の替刃を通る電流の流れを提供している。
【００１９】
替刃加熱装置の放熱効果により、かみそり替刃の加熱を制御するための安価な手段が可能になる。かみそり替刃がユーザの皮膚に接触していない時、空気は替刃の間を流れることができ、それによってかみそり替刃は冷却される。かみそり替刃がユーザの皮膚に接触している時、かみそり替刃の間の空気の流れが制限され、かみそり替刃は熱くなる。これによって、ユーザは、より長時間替刃を皮膚に当てることによって、替刃の温度をより高くすることができる。より低い温度を望む場合、ユーザは、単にかみそり替刃を皮膚から離して、替刃の間に空気が流れるようにすればよい。
【００２０】
以上本発明を、好適実施形態に従って、説明してきたが、本開示から逸脱するものであっても、本発明の精神と範囲との範囲内に含まれるもののあることは、理解しうると思う。本発明は、「均等論」の下で解釈される請求項に記載の事項を含むもので、制限されるものではない。
【符号の説明】
【００２１】
１０  替刃加熱装置
１２  かみそり替刃
１４  替刃カートリッジ
１６  止め金
１８  コンダクタ
２０  絶縁材
２２  導電性の薄膜
２４  替刃分離体
【図１】
2014513629.tif 000003
【図２】
2014513629.tif 000004
【図３】
2014513629.tif 000005
【図４】
2014513629.tif 000006
【国際調査報告】
2014513629.tif 000007
2014513629.tif 000008